(57)【要約】【課題】包材とＣローラ離間部材の把手との干渉によるＣローラ離間部材の把手破損を防止する。【解決手段】Ｃローラ離間部材の把手根本に関節部を設け、把手部が折れ曲がることが可能とする。更に離間部材４０に、凸部を設ける。この凸部を関節部４０ｃよりも、帯電ユニットから離れた箇所に設ける。【選択図】　　　　図１
2004126183.tif 000002
【特許請求の範囲】
【請求項１】
電子写真感光体を含む少なくとも２つのプロセス手段を
離間させる離間部材とを有し
前記離間部材は、プロセス手段保持カートリッジに着脱自在に取り付けられ、
前記離間部材には、
２つのプロセス手段を離間させる離間部と
リング状の把手部及び、
前記離間部材の前記プロセス手段保持カートリッジからの引き抜き方向に凸部が設けられている。
前記リング状把手部の根本に、関節部を設け、
前記リング状把手部が、プロセス手段保持カートリッジから取り外される方向とは略直角方向に折れ曲がれることが可能であり
また、前記離間部材が前記プロセス手段保持カートリッジに取り付いている状態で
前記関節部の前記プロセス手段保持カートリッジからの距離は、
前記凸部の前記プロセス手段保持カートリッジからの距離よりも小さいことを特徴とした離間部材。
【請求項２】
前記離間部材は、プロセス手段支持枠体に形成された穴、あるいは溝を貫通することを特徴とする請求項１の離間部材。
【請求項３】
前記離間部材は、前記プロセス手段の長手端部に設けられることを特徴とする、請求項１または２の離間部材。
【請求項４】
請求項１、２又は３の離間部材を有することを特徴とする帯電装置。
【請求項５】
請求項１、２又は３の離間部材を有することを特徴とするプロセスカートリッジ。
【請求項６】
請求項１、２又は３の離間部材を有することを特徴とする画像成形装置。
【発明の詳細な説明】
【０００１】
【発明の属する技術分野】
本発明は、例えば電子写真複写機や電子写真プリンター等の電子写真画像形成装置に使用されるプロセスカートリッジまたは現像装置、そしてこれらを用いる電子写真画像形成装置に関する。
【０００２】
ここで、電子写真画像形成装置とは、電子写真画像形成プロセスを用いて記録媒体５２に画像を形成するものである。
【０００３】
例えば、電子写真複写機、電子写真プリンター（ＬＥＤプリンター、レーザービームプリンターなど）、電子写真ファクシミリ装置、および、電子写真ワードプロセッサーなどが含まれる。
【０００４】
ここで、プロセスカートリッジとは、帯電手段、現像手段、クリーニング手段の少なくとも一つと、画像担持体である電子写真感光ドラムを一体的にカートリッジ化し、このカートリッジを画像形成装置本体に対して着脱可能とするものである。また、現像装置とは、トナー収容部と現像手段を一体的にカートリッジ化し、このカートリッジを画像形成装置本体に対して着脱可能とするものである。
【０００５】
【従来の技術】
従来、プロセスカートリッジの出荷からユーザーの手に渡るまでの輸送時に受けるショックにより、プロセスカートリッジ内の感光ドラムと感光ドラムに接触し帯電を行う帯電ローラとが摺擦し、感光ドラムに摺擦メモリや、傷を発生させたり使用前の長期保管により、感光ドラムと帯電ローラとの当接で帯電ローラ表面が凹み、画像不良を起こす可能性があった。
【０００６】
そこで、特開２０００−１８１３２８号公報のように、プロセスカートリジの出荷からユーザーに使用されるまでの間、感光ドラムと帯電ローラとを離間させる離間部材をプロセスカートリッジに取り外し自在に設け、ユーザーが使用する直前に離間部材を外し、帯電ローラを感光ドラムへ当接させる構成が提案されていた。
【０００７】
【発明が解決しようとする課題】
帯電ローラ３ａは、回転中心に貫通した芯金３ｂをもち、この芯金３ｂは長手両端部のみ露出している。（図６，図８）
上述した感光ドラムと帯電ローラとを離間させる離間部材４０は、図６、図１６に示すように、帯電ローラ３ａの長手両端に露出した芯金３ｂと感光ドラムとの間に挿入される。
【０００８】
よって、離間部材４０の設置される場所は、帯電ローラ３ａの長手両端部に限定され，それは、プロセスカートリッジ１の長手両端部に相当する位置となる（図１６、図１７）。
【０００９】
また、プロセスカートリッジ１の出荷時には、図１２に示すように輸送時の衝撃を緩衝する緩衝部材２００をプロセスカートリッジ１の長手両端に設けている。この緩衝部材２００は、効果的にプロセスカートリジ１にかかる衝撃を和らげるため出来るだけプロセスカートリッジ１への掛かり量を増す必要がある。
そこで、緩衝部材２００は、プロセスカートリッジ１の長手中央部へ出来るだけ長く覆うように設定される。
【００１０】
このように、離間部材４０と緩衝部材２００は共にプロセスカートリッジ１の長手方向端部に設けられる。
【００１１】
そのため、緩衝部材２００と離間部材４０は図１２に示すように近接して設けられるので、図１４のようにプロセスカートリッジ１に矢印Ｅ方向に衝撃が加わった場合、緩衝材２００がつぶれることでプロセスカートリッジ１への衝撃を緩和する。
【００１２】
この時、緩衝材２００と離間部材４０の把手部４０ｂが干渉し、緩衝材２００により離間部材４０の把手部４０ｂが千切られる場合があった。この千切れを防止するために、把手部４０ｂを強固にしてしまうと緩衝材２００が把手部４０ｂに強く突き当たり、離間部材４０が帯電装置３から外れてしまう場合や、緩衝材２００の緩衝能力の低下によるプロセスカートリッジ１の破損等が発生する場合もある。
【００１３】
【課題を解決するための手段】
そこで、緩衝材２００により離間部材４０の把手部４０ｂが千切られる事を防止するため、離間部材４０の把手部４０ｂの根本に関節部４０ｃを設け、把手部４０ｂが図１１に示すように略９０°折れ曲がれるようにする。これにより、把手部４０ｂが緩衝材２００に折り曲げられた場合であっても千切れることを防止出来る。
【００１４】
また、離間部材４０に更に、凸部４０ａを設け、この凸部４０ａを関節部４０ｃよりも、帯電装置３から離れた箇所（図９のＦ分離れたところに設ける）に設けることで、緩衝部材２００との干渉を凸部４０ａが受け持つ事が出来る。この時把手部４０ｂは、関節部４０ｃで折れ曲がるので、凸部４０ａの先端と、帯電装置３との間に収まり緩衝部材２００との干渉を避けることが出来る。以上から緩衝材２００との干渉での離間部材４０の把手部材４０ｂの破損を防止できる。
【００１５】
【発明の実施の形態】
［画像形成装置の全体の説明］
まずカラー電子写真画像形成装置の全体構成について、図１を参照して概略説明する。
【００１６】
図１はカラートナー画像形成装置の一形態であるカラーレーザービームプリンタの全体構成説明図である。
【００１７】
このカラーレーザービームプリンタの画像形成部は、像担持体である感光ドラム２を備えた４つのプロセスカートリッジ１Ｙ，１Ｍ，１Ｃ，１Ｋ（イエロー色、マゼンタ色、シアン色、ブラック色）と、このプロセスカートリッジ１Ｙ，１Ｍ，１Ｃ，１Ｋの上方に、各色に対応した露光手段５１Ｙ，５１Ｍ，５１Ｃ，５１Ｋ（レーザビーム光学走査系）が夫々並列配置されている。
【００１８】
上記画像形成部の下方には、記録媒体５２を送り出す給送手段と、感光ドラム２上に形成されたトナー像を転写する中間転写ベルト５４ａ、及び中間転写ベルト５４ａ上のトナー像を記録媒体５２に転写する２次転写ローラ５４ｄが配置されている。
【００１９】
更に、トナー画像を転写された記録媒体５２を定着する定着手段、記録媒体５２を装置外へ排出し積載する排出手段が配置されている。
【００２０】
ここで記録媒体５２としては、例えば用紙、ＯＨＰシート、あるいは布等である。
【００２１】
本実施例の画像形成装置はクリーナレスシステムの装置であり、感光ドラム２上に残存した転写残トナーは現像手段に取り込んでおり、転写残トナーを回収貯蔵する専用のクリーナーはプロセスカートリッジ内には配置していない。
【００２２】
次に上記画像形成装置の各部の構成について順次詳細に説明する。
【００２３】
［給紙部］
給紙部は、画像形成部へ記録媒体５２を給送するものであり、複数枚の記録媒体５２を積載収納した給送カセット５３ａと、給送ローラ５３ｂ、重送防止のリタードローラ５３ｃ、給送ガイド５３ｄ、レジストローラ５３ｇから主に構成される。
【００２４】
給送ローラ５３ｂは画像形成動作に応じて駆動回転し、給送カセット５３ａ内の記録媒体５２を一枚ずつ分離給送する。記録媒体５２は、給送ガイド５３ｄによってガイドされ、搬送ローラ３ｅ，３ｆを経由してレジストローラ５３ｇに搬送される。
【００２５】
記録媒体５２が搬送された直後は、レジストローラ５３ｇは回転を停止しており、このニップ部に突き当たることにより記録媒体５２は斜行が矯正される。
【００２６】
画像形成動作中にレジストローラ５３ｇは、記録媒体５２を静止待機させる非回転の動作と、記録媒体５２を中間転写ベルト５４ａに向けて搬送する回転の動作とを所定のシーケンスで行い、次工程である転写工程時のトナー像と記録媒体５２との位置合わせを行う。
【００２７】
［プロセスカートリッジ］
プロセスカートリッジ１Ｙ，１Ｍ，１Ｃ，１Ｋは、像担持体である感光ドラム２の周囲に、帯電手段と現像手段を配置し、一体的に構成している。そして、このプロセスカートリッジは装置本体に対して、ユーザが容易に取り外しでき、感光ドラム２が寿命に至った場合に交換する。
【００２８】
本実施例においては、例えば、感光ドラム２の回転回数をカウントし、所定カウント数を越えた場合に、プロセスカートリッジが寿命に至ったことを報知するようにしている。
【００２９】
本実施例の感光ドラム２は負帯電の有機感光体で、直径約３０ｍｍのアルミニウム製のドラム基体上に、通常用いられる感光体層を有しており、最表層に電荷注入層を設けている。そして、所定のプロセススピード、本実施例では約１１７ｍｍ／ｓｅｃで回転駆動される。
【００３０】
電荷注入層は、絶縁性樹脂のバインダーに導電性微粒子として、例えばＳｎＯ２超微粒子を分散した材料の塗工層を用いている。
【００３１】
図４に示すように、感光ドラム２の奥側端部にはドラムフランジ２ｂが固定され、手前端部には非駆動フランジ２ｄが固定されている。ドラムフランジ２ｂと非駆動フランジ２ｄの中心にはドラム軸２ａが貫通しており、ドラム軸２ａとドラムフランジ２ｂ及び非駆動フランジ２ｄは一体となって回転される。すなわち、感光ドラム２はドラム軸２ａの軸を中心に回転される。
【００３２】
ドラム軸２ａの手前側端部は軸受２ｅに回転自在に支持され、軸受２ｅは軸受ケース２ｃに対して固定されている。そして軸受ケース２ｃはプロセスカートリッジのフレームに対して固定されている。
【００３３】
［帯電手段］
帯電手段は接触帯電方法を用いたものである。本実施例においては、帯電部材として帯電ローラ３ａを用いている。
【００３４】
図２に示すように、この帯電ローラ３ａは芯金３ｂの両端部をそれぞれ不図示の軸受部材により回転自在に保持させると共に、押しバネ３ｄによって感光ドラム方向に付勢して感光ドラム２の表面に対して所定の押圧力をもって圧接させており、感光ドラム２の回転に従動して回転する。
【００３５】
図６，図７に示すように、３ｆは帯電ローラクリーニングユニットであり、本実施例では可撓性を持つクリーニングフィルムである。このクリーニングフィルム３ｆ３が帯電ローラ３ａの長手方向に並行に配置され、かつ同長手方向に対し一定量の往復運動をする支持部材３ｆに一端を固定され、自由端側近傍の面において帯電ローラ３ａと接触ニップを形成するように配置されている。支持部材３ｆが外部駆動手段によりカップリング１５に回転駆動を伝達し、さらにカップリングギア部１５ａからカムギア１６ａに伝達され、カム部１６ｂにおいて、帯電ローラクリーニングユニットアーム部３ｆ１が作用し、帯電シート戻しバネ３０が帯電ローラクリーニングユニット３ｆの一端に配置されていることによってカム部１６に沿って、長手方向に５ｍｍのストロークで一定量往復運動されて帯電ローラ表面がクリーニングフィルム３ｅで摺擦される。これにより帯電ローラ表面の付着物（微粉トナー、外添剤など）の除去がなされる。
【００３６】
なお本実施例の画像形成装置はクリーナレスシステムを採用している。このクリーナレスシステムに関して説明する。
【００３７】
［クリーナレスシステム］
本実施例の画像形成装置におけるクリーナレスシステムの概要をまず説明すると、転写後の感光ドラム２上の転写残トナーを、引き続く感光ドラムの回転に伴い帯電部ａ、露光部ｂを通過させ現像部ｃに持ち運び、現像装置により現像同時クリーニング（回収）するものである。
【００３８】
感光ドラム２面上の転写残トナーは露光部ｂを通るので露光工程はその転写残トナー上からなされるが、転写残トナーの量は少ないため、大きな影響は現れない。
【００３９】
ただ転写残トナーには正規極性のもの、逆極性のもの（反転トナー）、帯電量が少ないものが混在しており、その内の反転トナーや帯電量が少ないトナーが帯電部ａを通過する際に帯電ローラ３ａに付着することで帯電ローラ３ａが許容以上にトナー汚染して帯電不良を生じる事になる。
【００４０】
また感光ドラム面上の転写残トナーの現像装置による現像同時クリーニングを効果的に行わせるためには、現像部ｃに持ち運ばれる感光ドラム上の転写残トナーの帯電極性が正規極性であり、かつその帯電量が現像装置によって感光ドラムの静電潜像を現像できる帯電量である事が必要である。反転トナーや帯電量が適切でないトナーについては感光ドラム上から現像装置に除去・回収できず、不良画像の原因となってしまう。
【００４１】
また近年のユーザニーズの多様化に伴い、写真画像などといった高印字率の画像などの連続印字動作などにより、一度に大量の転写残トナーが発生し、上述したような問題を更に助長させてしまうのである。
【００４２】
そこで本実施例においては、転写部ｄよりも感光ドラム下流側の位置において、感光ドラム２の転写残トナーを均一化するための、転写残トナー（残留現像剤像）均一化手段３ｇを設け、この転写残トナー均一化手段３ｇよりも感光ドラム回転方向下流側で帯電部ａよりも感光ドラム回転方向上流側の位置において、転写残トナーの帯電極性を正規極性である負極性に揃えるためのトナー（現像剤）帯電制御手段３ｈを設けている。
【００４３】
転写残トナー均一化手段３ｇを設けることにより、転写部ｄからトナー帯電制御手段３ｈへ持ち運ばれる感光ドラム上のパターン上の転写残トナーはトナー量が多くても、そのトナーが感光ドラム面に分散分布化され、非パターン化されるので、トナー帯電制御手段３ｈの一部にトナーが集中することがなくなり、該トナー帯電制御手段３ｈによる転写残トナーの全体的な正規極性帯電化処理が常に十分になされて、転写残トナーの帯電ローラ３ａへの付着防止が効果的になされる。また転写残トナー像パターンのゴースト像の発生も防止される。
【００４４】
本実施例では上記転写残トナー均一化手段３ｇとトナー帯電制御手段３ｈは、適度の導電性を持ったブラシ状部材であり、ブラシ部を感光ドラム面上に接触させて配置してある。
【００４５】
またこれらの手段は、図示しない駆動源により感光ドラムの長手方向に移動（往復運動）するようになっている。このようにすることで、転写残トナー均一化手段３ｇとトナー帯電制御手段３ｈが感光ドラム上で同一個所に位置し続けることがなくなり、たとえばトナー帯電制御手段３ｈの抵抗ムラによる過帯電部、帯電不足部が存在したとしても、常に同じ感光ドラム面部分で起こるわけではないため、極小的な転写残トナーの過帯電によって感光ドラム上に融着が発生すること、また帯電不足によって帯電ローラ３ａに転写残トナーが付着することが防止あるいは緩和される。
【００４６】
［露光手段］
本実施例においては、上記感光ドラム２への露光は、レーザー露光手段を用いて行っている。即ち、装置本体から画像信号が送られてくると、この信号に対応して変調されたレーザー光Ｌが、感光ドラム２の一様帯電面に対して走査露光される。そして、感光ドラム２面には画像情報に対応した静電潜像が選択的に形成される。
【００４７】
レーザー露光手段は、固体レーザー素子（不図示）、ポリゴンミラー５１ａ、結像レンズ５１ｂ、反射ミラー５１ｃ等から構成されている。入力された画像信号に基づき発光信号発生器（不図示）により固体レーザー素子が所定タイミングでＯＮ／ＯＦＦ発光制御される。固体レーザー素子から放射されたレーザー光Ｌは、コリメーターレンズ系（不図示）により略平行な光束に変換され、高速回転するポリゴンミラー５１ａにより走査される。そして、結像レンズ５１ｂ、反射ミラー５１ｃを介して感光ドラム２にスポット状に結像される。
【００４８】
この様に感光ドラム２面上には、レーザー光走査による主走査方向の露光と、更に感光ドラム２が回転することによる副走査方向の露光がなされ、画像信号に応じた露光分布が得られる。
【００４９】
即ち、レーザー光Ｌの照射及び非照射により、表面電位が落ちた明部電位と、そうでない暗部電位が形成される。そして、明部電位と暗部電位間のコントラストにより、画像情報に対応した静電潜像が形成される。
【００５０】
［現像手段］
現像手段である現像装置４は、２成分接触現像装置（２成分磁気ブラシ現像装置）であり、図２に示すように、マグネットローラ４ｂを内包した現像剤担持体である現像スリーブ４ａ上にキャリアとトナーからなる現像剤を保持している。現像スリーブ４ａには所定間隙を有して、規制ブレード４ｃが設けられ、現像スリーブ４ａの矢印方向への回転に伴い、現像スリーブ４ａ上に薄層の現像剤を形成する。
【００５１】
現像スリーブ４ａは、図４に示すように、その両側の縮径されたジャーナル部４ａ１にスペーサ４ｋを回転可能に嵌合させることで感光ドラム２と所定間隙を有するように配置され、現像時においては現像スリーブ４ａ上に形成された現像剤が、感光ドラム２に対して接触する状態で現像できるように設定されている。現像スリーブ４ａは現像部において感光ドラム２の回転方向に対してカウンター方向である矢示の時計方向に所定の周速度で回転駆動される。
【００５２】
本実施において用いたトナーは、平均粒径６μｍのネガ帯電トナーを用い、磁性キャリアとしては飽和磁化が２０５ｅｍｕ／ｃｍ３の平均粒径３５μｍの磁性キャリアを用いた。また、トナーとキャリアを重量比６：９４で混合したものを現像剤として用いている。
【００５３】
現像剤が循環している現像剤収納部４ｈは、両端部を除いて長手方向の隔壁４ｄで２つに仕切られている。そして、撹拌スクリュー４ｅＡ，４ｅＢがこの隔壁４ｄを挟んで配置されている。
【００５４】
トナー補給容器から補給されたトナーは、図４に示すように、撹拌スクリュー４ｅＢの奥側に落下し、長手方向の前側に送られながら撹拌され、前側端の隔壁４ｄのない部分を通過する。そして、撹拌スクリュー４ｅＡで更に長手方向の奥側に送られ、奥側の隔壁４ｄのない部分を通り、撹拌スクリュー４ｅＢで送られながら撹拌され、循環を繰り返している。
【００５５】
ここで感光ドラム２に形成された静電潜像を、現像装置４を用いて２成分磁気ブラシ法により顕像化する現像工程と現像剤の循環系について説明する。
【００５６】
現像スリーブ４ａの回転に伴い、現像容器内の現像剤がマグネットローラ４ｂの汲み上げ極で現像スリーブ４ａ面に汲み上げられて搬送される。
【００５７】
その搬送される過程において、現像剤は現像スリーブ４ａに対して垂直に配置された規制ブレード４ｃによって層厚が規制され、現像スリーブ４ａ上に薄層現像剤が形成される。薄層現像剤が現像部に対応する現像極に搬送されると、磁気力によって穂立ちが形成される。感光ドラム２面の静電潜像は、この穂状に形成された現像剤中のトナーによってトナー像として現像される。本例においては、静電潜像は反転現像される。
【００５８】
現像部を通過した現像スリーブ４ａ上の薄層現像剤は引き続き現像スリーブ４ａの回転に伴い現像容器内に入り、搬送極の反発磁界によって現像スリーブ４ａ上から離脱して現像容器内の現像剤溜りに戻される。
【００５９】
現像スリーブ４ａには、不図示の電源から直流（ＤＣ）電圧および交流（ＡＣ）電圧が印加される。本実施の形態では、−５００Ｖの直流電圧と、周波数２０００Ｈｚでピーク間電圧１５００Ｖの交流電圧が印加され、感光ドラム２の露光部にのみ選択的に現像している。
【００６０】
一般に２成分現像法においては交流電圧を印加すると現像効率が増し画像は高品位になるが、逆にかぶりが発生しやすくなるという危険も生じる。このため、通常、現像スリーブ４ａに印加する直流電圧と感光ドラム２の表面電位間に電位差を設けることによって、かぶりを防止することを実現している。より具体的には、感光ドラム２の露光部の電位と非露光部の電位との間の電位のバイアス電圧を印加している。
【００６１】
現像によりトナーが消費されると、現像剤中のトナー濃度が低下する。本実施例では、撹拌スクリュー４ｅＢの外周面に近接した位置にトナー濃度を検知するセンサー４ｇを配置している。現像剤内のトナー濃度が所定の濃度レベルよりも低下したことをセンサー４ｇで検知すると、トナー補給容器から現像装置４内にトナーを補給する命令が出される。このトナー補給動作により現像剤のトナー濃度が常に所定のレベルに維持管理される。
【００６２】
［トナー補給容器］
トナー補給容器５Ｙ，５Ｍ，５Ｃ，５Ｋは、プロセスカートリッジ１Ｙ，１Ｍ，１Ｃ，１Ｋの上方に並列配置されており、装置本体１００正面より装着される。
【００６３】
図２に示すように、トナー補給容器の内部に撹拌軸５ｃに固定された撹拌板５ｂとスクリュー５ａが配置され、容器底面にはトナーを排出する排出開口部５ｆが形成されている。スクリュー５ａと撹拌軸５ｃは図５に示すように、その両端を軸受５ｄで回転可能に支持され、片方の最端部には駆動カップリング（凹）５ｅが配置されている。駆動カップリング（凹）５ｅは装置本体の駆動カップリング（凸）６２ｂから駆動伝達を受け、回転駆動される。スクリュー５ａの外形部は、らせんリブ形状となっており、排出開口部５ｆを中心に、らせんのねじれ方向を反転させている。駆動カップリング（凸）６２ｂの回転により、所定の回転方向にスクリューは回転される。
【００６４】
そして、排出開口部５ｆに向かってトナーは搬送され、排出開口部５ｆの開口よりトナーを自由落下させ、プロセスカートリッジにトナーを補給する。撹拌板の回転半径方向の先端部は傾斜しており、トナー補給容器の壁面と摺接する際には、上記先端部はある角度をもって当接される。具体的には、撹拌板の先端側はねじられて、らせん状態になる。このように、撹拌板の先端側がねじれ傾斜することにより軸方向への搬送力が発生し、トナーが長手方向に送られる。
【００６５】
なお、本実施例のトナー補給容器は、２成分現像法に限らず、１成分現像法を用いるプロセスカートリッジまたは現像カートリッジにおいても補給可能であり、またトナー補給容器内に収納される粉体は、トナーだけに限らず、トナー及び磁性キャリアが混合された、いわゆる現像剤であってもよいことは言うまでもない。
【００６６】
［転写手段］
転写手段である中間転写ユニット５４は、感光ドラム２から順次に１次転写されて重ねられた複数のトナー像を、一括して記録媒体５２に２次転写するものである。
【００６７】
中間転写ユニット５４は、矢印方向に走行する中間転写ベルト５４ａを備えており、矢印の時計方向に感光ドラム２の外周速度と略同じ周速度で走行している。この中間転写ベルト５４ａは、周長約９４０ｍｍの無端状ベルトであり、駆動ローラ５４ｂ、２次転写対向ローラ５４ｇ、従動ローラ５４ｃの３本のローラにより掛け渡されている。
【００６８】
さらに、中間転写ベルト５４ａ内には、転写帯電ローラ５４ｆＹ，５４ｆＭ，５４ｆＣ，５４ｆＫが夫々感光ドラム２の対向位置に回転可能に配置され、感光ドラム２の中心方向に加圧されている。
【００６９】
転写帯電ローラ５４ｆＹ，５４ｆＭ，５４ｆＣ，５４ｆＫは不図示の高圧電源より給電され、中間転写ベルト５４ａの裏側からトナーと逆極性の帯電を行い、感光ドラム２上のトナー像を順次中間転写ベルト５４ａの上面に１次転写する。
【００７０】
２次転写部には転写部材として２次転写ローラ５４ｄが、２次転写対向ローラ５４ｇに対向した位置で中間転写ベルト５４ａに圧接している。２次転写ローラ５４ｄは、図示上下に揺動可能で且つ回転する。この時同時に中間転写ベルト５４ａには、バイアスが印加されるので中間転写ベルト５４ａ上のトナー像は記録媒体５２に転写される。
【００７１】
ここで中間転写ベルト５４ａと２次転写ローラ５４ｄは各々駆動されている。記録媒体５２が２次転写部に突入すると、所定のバイアスが２次転写ローラ５４ｄに印加され、中間転写ベルト５４ａ上のトナー像は記録媒体５２に２次転写される。
【００７２】
この時、両者に挟まれた状態の記録媒体５２は転写工程が行われると同時に、図示左方向に所定の速度で搬送され次工程である定着器５６にむけて搬送される。
転写工程の最下流側である中間転写ベルト５４ａの所定位置には、中間転写ベルト５４ａの表面に接離可能なクリーニングユニットが設けてあり、２次転写後に残った転写残トナーを除去する。
【００７３】
クリーニングユニット５５内には、転写残トナーを除去するためのクリーニングブレード５５ａが配置されている。クリーニングユニット５５は不図示の回転中心で揺動可能に取りつけられており、クリーニングブレード５５ａは中間転写ベルト５４ａに食い込む方向に圧接している。クリーニングユニット５５内に取りこまれた転写残トナーは、送りスクリュー５５ｂにより廃トナータンク（不図示）へ搬送され貯蔵される。
【００７４】
ここで中間転写ベルト５４ａとしてはポリイミド樹脂からなるものを用いることができる。その他の材質としてはポリイミド樹脂に限定されるものではなく、ポリカーボネイト樹脂や、ポリエチレンテレフタレート樹脂、ポリフッ化ビニリデン樹脂、ポリエチレンナフタレート樹脂、ポリエーテルエーテルケトン樹脂、ポリエーテルサルフォン樹脂、ポリウレタン樹脂などのプラスチックや、フッ素系、シリコン系のゴムを好適に用いることができる
［定着部］
前記現像手段によって感光ドラム２に形成されたトナー像は、中間転写ベルト５４ａを介して記録媒体５２上に転写される。そして、定着器５６は、記録媒体５２に転写されたトナー像を熱を用いて記録媒体５２に定着させる。
【００７５】
図１に示すように、定着器５６は、記録媒体５２に熱を加えるための定着ローラ５６ａと記録媒体５２を定着ローラ５６ａに圧接させるための加圧ローラ５６ｂを備えており、各ローラは中空ローラである。その内部にそれぞれヒータ（不図示）を有している。そして、回転駆動されることによって同時に記録媒体５２を搬送する。
【００７６】
即ちトナー像を保持した記録媒体５２は定着ローラ５６ａと加圧ローラ５６ｂとにより搬送されると共に、熱及び圧力を加えられることによりトナー像が記録媒体５２に定着される。定着後の記録媒体５２は、排出ローラ５３ｈ，５３ｊにより排出され、装置本体１００上のトレー５７に積載される。
【００７７】
［プロセスカートリッジ及びトナー補給容器の装着］
次に、プロセスカートリッジ及びトナー補給容器の装着手順を図２、図３、図４及び図５を用いて説明する。装置本体１００の正面には、開閉自在な前ドア５８が配置されており、この前ドア５８を手前に開くと、プロセスカートリッジ及びトナー補給容器を挿入する開口部が露出される。
【００７８】
プロセスカートリッジを挿入する開口部には、回動可能に支持された芯決め板５９が配置されており、プロセスカートリッジを挿抜する場合は、この芯決め板５９を開放した後に行う。
【００７９】
装置本体１００内には、プロセスカートリッジの装着を案内するガイドレール６０と、トナー補給容器の装着を案内するガイドレール６１が固定されている。
【００８０】
プロセスカートリッジ及びトナー補給容器の装着方向は、感光ドラム２の軸線方向と平行な方向であり、ガイドレール６０、６１も同様な方向に配置されている。プロセスカートリッジ及びトナー補給容器は、一旦、上記ガイドレール６０、６１に沿って装置本体１００内の手前から奥側にスライドされ挿入される。
【００８１】
プロセスカートリッジが最奥部まで挿入されると、ドラムフランジ２ｂの中心穴２ｆに装置本体の芯決め軸６６が挿入され、感光ドラム２の奥側の回転中心位置が装置本体に対して決められる。またこれと同時にドラムフランジ２ｂに形成された駆動伝達部２ｇと駆動カップリング（凸）６２ａが連結され、感光ドラム２の回転駆動が可能となる。本発明で用いた駆動伝達部２ｇはねじれた三角柱形状をなしており、本体からの駆動力が加わることで駆動が伝達されると共に、感光ドラム２を奥側に引き込む力を発生させている。
【００８２】
さらに、後側板６５には、プロセスカートリッジを位置決めする支持ピン６３が配置されており、この支持ピン６３がプロセスカートリッジのフレームに挿入され、プロセスカートリッジのフレームの位置が固定される。
【００８３】
装置本体１００の手前側には、回動可能な芯決め板５９が配置されており、この芯決め板５９に対してプロセスカートリッジの軸受ケース２ｃが支持固定される。これら一連の挿入動作により、感光ドラム２とプロセスカートリッジは装置本体に対して位置決めされる。
【００８４】
一方、トナー補給容器は最奥部まで挿入されると、後側板６５から突出した支持ピン６４に対して固定される。またこれと同時に駆動カップリング（凹）５ｅと駆動カップリング（凸）６２ｂが連結され、スクリュー５ａおよび撹拌軸５ｃの回転駆動が可能となる。
【００８５】
次に、本発明の実施例を説明する。
【００８６】
図９に示すように、感光ドラム２と帯電ローラ３ａとをユーザーが使用する前まで、寸法Ｃ分離間させる離間部材４０に対し把手部４０ｂの根本に関節部４０ｃを設け、図１１に示すように把手部４０ｂが▲１▼位置。▲３▼位置へ折れ曲がることが出来るようにする。
【００８７】
これにより、把手部４０ｂが緩衝材２００に折り曲げられた場合であっても把手部４０ｂが折れることを防止出来る。
【００８８】
また、離間部材４０に、更に凸部４０ａを設け、この凸部４０ａを関節部４０ｃよりも、帯電装置３から離れた箇所（図９のＦ分離れたところに設ける）に設けることで、プロセスカートリッジ１に輸送中に衝撃が加わり（図１３矢印Ｅ方向）緩衝材２００が衝撃を緩和するように変形して緩衝部材２００と離間部材４０の把手部４０ｂが干渉しても緩衝部材２００との干渉を凸部４０ａが受け持つ事が出来る。
【００８９】
この時把手部４０ｂは、関節部４０ｃで折れ曲がるので、凸部４０ａの先端と、帯電装置３との間に収まり緩衝部材２００との干渉を避けることが出来る。よって、緩衝材２００との干渉での離間部材４０の把手部材４０ｂの破損を防止できる。
【００９０】
【発明の効果】
プロセスカートリッジの出荷時に必要な、緩衝部材、離間部材を近づけて設定することが可能なので、プロセスカートリッジを包む梱包材の大きさを大きくすることなく緩衝部材を大きくすることが出来、効果的に緩衝部材を設定できる。
【図面の簡単な説明】
【図１】本発明に係わる画像形成装置本体の断面図
【図２】本発明に係わるプロセスカートリッジ及びトナー補給容器の断面図
【図３】本発明に係わる画像形成装置本体の概略斜視図
【図４】本発明に係わるプロセスカートリッジの長手断面図
【図５】本発明に係わるトナー補給容器の長手断面図
【図６】本発明に係わる帯電ユニットの概略斜視図
【図７】本発明に係わる帯電ユニット長手図
【図８】本発明に係わる係止部材挿入時の帯電ユニット断面図
【図９】本発明に係わる係止部材挿入時の帯電ユニット断面図
【図１０】本発明に係わる係止部材挿入時のプロセスカートリッジの概略斜視図である。
【図１１】本発明に係わる係止部材挿入時のプロセスカートリッジの概略上視図である。
【図１２】本発明に係わる係止部材挿入時のプロセスカートリッジの概略上視図である。
【図１３】本発明に係わる係止部材挿入時のプロセスカートリッジの概略上視図である。
【図１４】従来の係止部材挿入時のプロセスカートリッジの概略上視図である。
【図１５】従来の係止部材挿入時の帯電ユニット断面図
【図１６】従来の係止部材挿入時の帯電ユニット断面図
【図１７】従来の係止部材挿入時のプロセスカートリッジの概略斜視図である。
【符号の説明】
１Ｙ，１Ｍ，１Ｃ，１Ｋ：プロセスカートリッジ
１ａ：フレーム
１ａ１：ガイドリブ
１ｂ：補給開口部，
１ｄ：補給口シャッター
１ｄ１：開口，　１ｄ２：ラック
１ｅ：第１の押さえ部材
１ｅ１：開口，　１ｅ２：ガイドリブ，　１ｅ３：シール部材，　１ｅ４：ガイドピン
１ｆ：第２の押さえ部材
１ｇ：補給口カバー
１ｇ１：溝
１ｈ：シャッター開閉カム
１ｈ１：ギヤ部，　１ｈ２：ピン，　１ｈ３：回転中心，　１ｈ４：カム部，　１ｈ５，１ｈ６：係合部
１ｉ：ロック部材
１ｉ１：爪，　１ｉ２：解除部
１ｊ：シール部材
１ｋ：レーザーシャッター
１ｋ１：開閉部
２：感光ドラム
２ａ：ドラム軸，　２ｂ：ドラムフランジ，　２ｃ：軸受ケース，　２ｄ：非駆動フランジ，２ｅ：軸受，　２ｆ：中心穴，　２ｇ：駆動伝達部
３：帯電装置
３ａ：帯電ローラ，　３ｂ：芯金，　３ｃ：帯電ローラクリーニング部材，３ｄ：押しバネ　３ｆ：帯電ローラクリーニングユニット，３ｆ１：帯電ローラクリーニングアーム、
３ｆ３：クリーニングフィルム、３ｇ：転写残トナー均一化手段，３ｈ：トナー帯電制御手段　，　３ｊ：ブラシユニット，
３ｋ：帯電容器，　３ｋ１：帯電ローラ支持部、　３ｋ２：ブラシユニット支持部、３ｋ３：ブラシユニット支持スペサー、３ｋ４：規制部材、３ｋ５：補強板金
３ｍ：貫通穴
４：現像装置
４ａ：現像スリーブ，　４ａ１：ジャーナル部，　４ｂ：マグネットローラ，
４ｃ：規制ブレード，　４ｄ：隔壁，　４ｅＡ，４ｅＢ：撹拌スクリュー，　４ｆ：現像容器，　４ｇ：センサー，　４ｈ：現像剤収納部，　４ｊ：軸受，　４ｋ：スペーサ
５Ｙ，５Ｍ，５Ｃ，５Ｋ：トナー補給容器
５ａ：スクリュー，　５ｂ：撹拌板，　５ｃ：撹拌軸，　５ｄ：軸受，　５ｅ：駆動カップリング（凹），　５ｆ：排出開口部
５ｆ１：排出口カバー
５ｆ２：押さえ部材
５ｆ２ａ：ピン，　５ｆ２ｂ：開口，　５ｆ２ｃ：スリット
５ｆ３：排出口シャッター
５ｆ３ａ：回転中心，　５ｆ３ｂ，５ｆ３ｂ’：開口部，　５ｆ３ｃ：スリット５ｆ５：開口
５ｆ６：シール部材
５ｈ：レール
１１ａ，１１ｂ：ブラシ台，
１２：ブラシ支持部材，１２ａ，１２ｂ，１２ｃ，１２ｄ：ブラシユニットピン１４：伝達アーム，　１４ａ：伝達アームピン，１４ｘ，１４ｙ：伝達アーム穴１５：カップリング，　１５ａ：カップリングギア部
１６：カムギアユニット，　１６ａ：カムギア，　１６ｂ：カム，　１６ｍ：カム溝部
１７：ギア軸受け，　１７ａ：カップリングギア軸，　１７ｂ：カムギア軸，　１７ｃ：段付き部，　１８：サイドカバー，　１９：圧縮コイルバネ，２０：ｅリング
３０：帯電シート戻しバネ、３１：ブラシユニットバネ
４０：係止部材
４０ａ：凸部、４０ｂ：把手部、４０ｃ：関節部
５１Ｙ，５１Ｍ，５１Ｃ，５１Ｋ：露光手段，
５１ａ：ポリゴンミラー，　５１ｂ：結像レンズ，　５１ｃ：反射ミラー
Ｌ：レーザー光
５２：記録媒体
５３：給送手段
５３ａ：給送カセット，　５３ｂ：給送ローラ，　５３ｃ：リタードローラ，
５３ｄ：給送ガイド，　５３ｅ，５３ｆ：搬送ローラ，　５３ｇ：レジストローラ，　５３ｈ，５３ｊ：排出ローラ
５４：中間転写ユニット
５４ａ：中間転写ベルト，　５４ｂ：駆動ローラ，　５４ｃ：従動ローラ，　５４ｄ：２次転写ローラ，　５４ｆＹ，５４ｆＭ，５４ｆＣ，５４ｆＫ：転写帯電ローラ，　５４ｇ：２次転写対向ローラ
５５：転写クリーニングユニット
５５ａ：クリーニングブレード，　５５ｂ：送りスクリュー
５６：定着器
５６ａ：定着ローラ，　５６ｂ：加圧ローラ
５７：トレー
５８：前ドア
５９：芯決め板
６０，６１：ガイドレール
６２ａ，６２ｂ：駆動カップリング
６３，６４：支持ピン
６５：後側板
６６：芯決め軸
６７，６８：ピン
１００：装置本体
１０２：プロセスカートリッジ挿入部
２００：緩衝部材
ａ：帯電部，　ｂ：露光部，　ｃ：現像部，　ｄ：転写部
Ａ：作用部，Ｂ：規制部、Ｃ：離間量、Ｅ：衝撃方向
Ｆ：凸部と関節部距離
【図１】
2004126183.tif 000003
【図２】
2004126183.tif 000004
【図３】
2004126183.tif 000005
【図４】
2004126183.tif 000006
【図５】
2004126183.tif 000007
【図６】
2004126183.tif 000008
【図７】
2004126183.tif 000009
【図８】
2004126183.tif 000010
【図９】
2004126183.tif 000011
【図１０】
2004126183.tif 000012
【図１１】
2004126183.tif 000013
【図１２】
2004126183.tif 000014
【図１３】
2004126183.tif 000015
【図１４】
2004126183.tif 000016
【図１５】
2004126183.tif 000017
【図１６】
2004126183.tif 000018
【図１７】
2004126183.tif 000019